(57)【要約】【課題】１つの表示面に、複数の画面を表示する装置において、使用者の煩わしい操作なしで、操作対象となる画面を切り替えることができる表示装置を提供する。【解決手段】この表示装置は、１つの表示面に複数の画面を表示するものであって、ユーザからの操作入力を受け付ける外部入力手段と、当該表示装置の傾きの変化を検出する検出手段と、前記検出手段で検出された傾きの方向に基づき、前記外部入力手段の操作対象となる画面を決定する制御手段とを有するものである。また、表示部分が回転できる場合には、検出手段では表示部分の回転方向を検出し、この回転方向に基づいて前記外部入力手段の操作対象となる画面を決定するようにした。【選択図】図２
2006343419.tif 000002
【特許請求の範囲】
【請求項１】
１つの表示面に複数の画面を表示する表示装置において、ユーザからの操作入力を受け付ける外部入力手段と、当該表示装置の状態の変化を検出する検出手段と、前記検出手段の検出結果に基づき、前記外部入力手段の操作対象となる画面を決定する制御手段とを有することを特徴とする表示装置。
【請求項２】
請求項１に記載の表示装置において、前記検出手段は、当該表示装置の状態の変化を検出した後、同種類の状態の変化が所定時間以上継続したときにのみ、変化を検出したとすることを特徴とする表示装置。
【請求項３】
請求項１または２に記載の表示装置において、前記検出手段は、当該装置の傾きの変化を状態の変化とし、前記制御手段は、前記検出手段で検出された傾きの方向に基づき、操作対象となる画面を決定することを特徴とする表示装置。
【請求項４】
１つの表示面に複数の画面を表示する表示装置において、ユーザからの操作入力を受け付ける外部入力手段と、表示部を回転させる回転手段と、前記回転手段で回転された表示部の回転方向の変化を検出する検出手段と、前記検出手段で検出した回転方向に基づき、前記外部入力手段の操作対象となる画面を決定する制御手段とを有することを特徴とする表示装置。
【請求項５】
請求項４に記載の表示装置において、前記検出手段は、表示部の回転方向の変化を検出した後、同種類の回転方向の変化が所定時間以上継続したときにのみ、変化を検出したとすることを特徴とする表示装置。
【請求項６】
請求項１乃至５のいずれかに記載の表示装置において、割り込み表示イベントの発生を検出する割り込み検出手段を有し、前記割り込み検出手段で割り込みが検出されると、前記制御手段は操作対象となっている画面に対して、割り込み表示を行わせることを特徴とする表示装置。
【請求項７】
ユーザからの操作入力を受け付ける外部入力手段と、当該装置の傾きの変化を検出する検出手段とからなる指示装置と、１つの表示面に複数の画面を表示する表示手段からなる表示装置と、を別体に設け、前記指示装置は当該装置の状態の変化を前記検出手段で検出して送信し、前記表示手段は、前記検出手段から受信した検出結果に基づき、前記外部入力手段の操作対象となる画面を決定することを特徴とする表示装置。
【請求項８】
請求項７に記載の表示装置において、前記検出手段は、前記指示装置の状態の変化を検出した後、同種類の状態の変化が所定時間以上継続したときにのみ、変化を検出したとすることを特徴とする表示装置。
【請求項９】
請求項７または８に記載の表示装置において、前記検出手段は、前記指示装置の傾きの変化を状態の変化として検出し、前記表示手段は、前記検出手段から受信した傾きの方向に基づき、操作対象となる画面を決定することを特徴とする表示装置。
【請求項１０】
コンピュータに、請求項１乃至９のいずれかに記載の表示装置の機能を実現させるためのプログラム。
【請求項１１】
コンピュータが読み取り可能な記録媒体であって、請求項１０に記載のプログラムを記録したことを特徴とする記録媒体。
【発明の詳細な説明】
【技術分野】
【０００１】
本発明は、表示装置、プログラムおよび記録媒体に関し、具体的には、１つの表示面において、観察する方向により異なる画像を見ることができる表示装置、プログラムおよび記録媒体に関する。
【背景技術】
【０００２】
従来より、１つの表示面において、観察する方向により、異なる画像を表示することができる表示装置がある。図１６は、この表示装置の概要を示した図であり、表示装置を左方向から見ているユーザＡは第１画面を見ることができるのに対し、右方向から見ているユーザＢは第２画面を見ることができる。
【０００３】
このような表示装置を車載ナビゲーション装置に搭載することによって、助手席側のユーザＡと運転席側のユーザＢとが異なる画面を見ることができるような応用が考えられている。例えば、第１画面でユーザＡに向けてＴＶ画面を表示し、第２画面ではユーザＢに向けてナビゲーション情報を表示することが可能である。
【０００４】
一方、図１７は、別の応用方法として、表示装置の設置位置を変更することによって、同一のユーザが異なる画面を見ることができる方法について示したものである。例えば、携帯電話端末に応用し、見る方向によって、ＴＶ画面とメール作成画面のような異なるアプリケーション画面が表示されるようにすることによって、ユーザの利便性を高めることが期待される。
【０００５】
しかしながら、図１６の表示装置では、運転席側からの操作と助手席側からの操作を切り替える場合には、通常、操作者切替ボタンを押下する等の操作が必要となる。
このような問題を解決するために、例えば、特許文献１の技術では、操作者の切り替えを行う方法を開示している。この操作者切り替え手段は、実操作者の腕または手または指の位置を非接触的に検出し、この検出信号を受けて実操作者を特定して、操作結果をこの実操作者がしたものとして、映像信号等を切り替えている。
【０００６】
図１８は、特許文献１における操作者識別手段を説明するためのものである。車載ナビゲーション装置のタッチパネルディスプレイを助手席側及び運転席側から操作する場合に、非接触センサＡ，Ｂを用いて、操作者の腕または手または指がどちらの非接触センサで検知したかによって、実操作者の識別を行っている。
【０００７】
また、操作者毎に専用のリモコンや専用の操作部を用意することで、上記課題に対処することも考えられる。例えば、図１９は車載ナビゲーション装置のディスプレイの両側に助手席側ユーザ用操作部および、運転席側ユーザ用操作部を設けることによって、操作者の切替を可能にしている。
【特許文献１】特開２００４−２３３８１６号公報
【発明の開示】
【発明が解決しようとする課題】
【０００８】
しかしながら、上記非接触センサを用いる場合は、無意識な腕の動きをユーザの操作であると誤認識する可能性があり、また、図１７に示すような、同一のユーザが異なる画面を参照するときには利用することができない。
【０００９】
また、専用のリモコンや専用の操作部を設ける場合は、リモコンや操作キーの数が増えることによって、装置の小型化が難しくなったり、装置のコストが上昇してしまうという問題がある。
【００１０】
本発明は、上述の実情を考慮してなされたものであって、１つの表示面に、複数の画面を表示する装置において、使用者の煩わしい操作なしで、操作対象となる画面を切り替えることができる表示装置、コンピュータに表示装置の機能を実現するプログラムおよびこのプログラムを記録したコンピュータ読取可能な記録媒体を提供することを目的とする。
【課題を解決するための手段】
【００１１】
上記課題を解決するために、本発明は、以下のように構成する。
第１の発明は、１つの表示面に複数の画面を表示する表示装置において、ユーザからの操作入力を受け付ける外部入力手段と、当該表示装置の状態の変化を検出する検出手段と、前記検出手段の検出結果に基づき、前記外部入力手段の操作対象となる画面を決定する制御手段とを有する構成とする。
ここで、前記検出手段では、当該表示装置の状態の変化を検出した後、同種類の状態の変化が所定時間以上継続したときにのみ、変化を検出したとして検出結果を出力する。
この状態の変化を当該装置の傾きの変化であるとし、検出された傾きの方向に基づいて、操作対象となる画面を決定するようにした。
これにより、操作対象となる画面を切り替えるための煩わしい操作が不要になる。また、手ぶれ等の意図しない動きによって、瞬間的に端末への傾き変化が生じてしまった場合に、操作対象となる画面の変更を起こさないようにすることができる。
【００１２】
第２の発明は、１つの表示面に複数の画面を表示する表示装置において、ユーザからの操作入力を受け付ける外部入力手段と、表示部を回転させる回転手段と、前記回転手段で回転された表示部の回転方向の変化を検出する検出手段と、前記検出手段で検出した回転方向に基づき、前記外部入力手段の操作対象となる画面を決定する制御手段とを有する構成とした。
ここで、前記検出手段では、表示部の回転方向の変化を検出した後、同種類の回転方向の変化が所定時間以上継続したときにのみ、変化を検出したとして検出結果を出力するようにした。
これにより、ユーザが表示装置を回転させて、複数の画面を観察する動きに対応して、入力操作の対象となる画面を決定することにより、操作対象となる画面を切り替えるための煩わしい操作が不要になる。また、手ぶれ等の意図しない動きによって、瞬間的に端末への傾き変化が生じてしまった場合に、操作対象となる画面の変更を起こさないようにすることができる。また、表示部だけが傾き、ユーザが操作入力する入力手段が水平であることにより、ユーザの操作性を向上させることができる。
【００１３】
さらに、上記の第１および第２の発明において、割り込み表示イベントの発生を検出する割り込み検出手段を有して、割り込みが検出されると、前記制御手段は操作対象となっている画面に対して、割り込み表示を行わせるようにした。
これにより、電話の着信を知らせる表示や、アラーム設定時間の到達を知らせるような割り込み表示を現在操作対象となっている画面に対して表示させることによって、ユーザが必要とする情報を確実に知らせることができる。
【００１４】
第３の発明は、ユーザからの操作入力を受け付ける外部入力手段と、当該装置の傾きの変化を検出する検出手段とからなる指示装置と、１つの表示面に複数の画面を表示する表示手段からなる表示装置と、を別体に設け、前記指示装置は当該装置の状態の変化を前記検出手段で検出して送信し、前記表示手段は、前記検出手段から受信した検出結果に基づき、前記外部入力手段の操作対象となる画面を決定する構成とした。
ここで、前記検出手段では、前記指示装置の状態の変化（例えば、指示装置の傾きの変化）を検出した後、同種類の状態の変化が所定時間以上継続したときにのみ、変化を検出したとして検出結果を出力するようにした。
これにより、指示装置の状態を変化させることによって、操作対象となる画面を決定することにより、操作対象となる画面を切り替えるための煩わしい操作が不要になる。また、手ぶれ等の意図しない動きによって瞬間的に指示装置への傾き変化が生じてしまった場合でも、操作対象となる画面の変更を起こさないようにすることができる。
指示装置を傾けた方向によって、指示装置による操作の対象画面を変更することができ、操作対象となる画面を切り替えるための煩わしい操作が不要となる。
【００１５】
また、本発明は、上述した構成の表示装置あるいは表示システムの機能を実行させるためのプログラムまたはそのプログラムを記録したコンピュータ読み取り可能な記録媒体によっても上記課題を解決することができる。
【発明の効果】
【００１６】
本発明によれば、一つの表示面に、複数の画面を表示する装置において、装置の状態を変化させる（例えば、装置を傾けたり、回転させる）ことによって、複数の画面を観察する動きに基づいた、入力操作の対象となる画面を決定するので、操作対象となる画面を切り替えるための煩わしい操作が不要になる。
【００１７】
また、現在、操作対象となっている画面に対して、アラームや着信通知等の割り込みイベントの表示を行うので、ユーザに対し確実に情報通知を行うことができる。両方の画面に対して表示を行うのでなく、表示を行う画面を現在見ている画面に限定することによって、処理を簡略化する効果もある。
【発明を実施するための最良の形態】
【００１８】
以下、図面を参照して本発明に係る好適な実施形態について説明する。
以下では、携帯電話端末や車載カーナビケーション装置に本発明を適用した場合について説明するが、これに限定されたものではなく、一つの表示面に複数の画面を表示し、操作対象となる画面を切り替える装置であれば適用することができる。
【００１９】
＜実施形態１＞
図１は、本発明の実施形態１における携帯電話端末の概観を説明するための図である。同図において、携帯電話端末１０１は異なる方向から表示装置を見た場合に、異なった画面が表示されているように見えるように構成されている。例えば、（Ａ）のように携帯電話端末１０１の右側が下になるように傾けた場合は、第１画面であるメールアプリケーション画面を見ることができるのに対し、（Ｂ）のように右側が上になるように傾けた場合は第２画面であるＴＶアプリケーション画面を見ることができる。
【００２０】
図２は、実施形態１における携帯電話端末１０１の制御ブロック図であり、携帯電話端末１０１は、複数画面同時表示手段２０１と、第１画面生成手段２０２と、第１画面表示用メモリ２０３と、第２画面生成手段２０４と、第２画面表示用メモリ２０５と、外部入力手段２０６と、割り込み表示イベント検出手段２０７と、有効画面番号記録手段２０８と、傾き検出手段２０９と、制御手段２１０とから構成される。
【００２１】
複数画面同時表示手段２０１は、一つの表示面において、異なる方向に複数の画面表示を行うことができるものである。
第１画面生成手段２０２は、複数画面同時表示手段２０１が表示する第１の画面に対する表示内容を生成する。生成された表示内容は、第１画面表示用メモリ２０３内に書き込まれることにより、複数画面同時表示手段２０１に伝えられる。
第２画面生成手段２０４は、複数画面同時表示手段２０１が表示する第２の画面に対する表示内容を生成する。生成された表示内容は、第２画面表示用メモリ２０５内に書き込まれることにより、複数画面同時表示手段２０１に伝えられる。
【００２２】
外部入力手段２０６は、携帯電話端末１０１に搭載されたキーやタッチパネルディスプレイおよび、押下されたキーのコードやタッチパネルディスプレイのタッチ座標を検出する手段とから構成される。
割り込み表示イベント検出手段２０７は、電話着信の発生やアラームの設定時刻到達などの割り込み表示が必要なイベントを検出し、発生イベント内容を通知するものである。
【００２３】
有効画面番号記録手段２０８は、外部入力手段２０６が検出したキー入力情報やタッチパネルディスプレイのタッチ座標といったユーザの操作情報および、割り込み表示イベント検出手段２０７が検出した電話着信イベントやアラーム時間到達イベントを通知する画面を決定するためのものであり、現在の有効画面番号を記録するためのメモリから構成される。有効画面番号記録手段２０８が「第１画面」を保持している場合、ユーザからの操作情報や割り込みイベント情報は第１画面生成手段２０２に通知され、「第２画面」を保持している場合、ユーザからの操作情報や割り込みイベント情報は第２画面生成手段２０４に通知される。
【００２４】
傾き検出手段２０９は、端末の傾き方向や傾き角度を検出する加速度センサチップ等により構成される。図３は、端末の傾き検出の概要を示す図であり、携帯電話端末１０１を底面から見た様子を示している。（Ａ）は、携帯電話端末１０１が水平な状態にあることを示し、（Ｂ）では、携帯電話端末１０１の右側が上になるように傾けられた様子を示している。以後、この状態を「左方向の傾き」と定義する。
一方、（Ｃ）は、携帯電話端末１０１の右側が下になるように傾けられた様子を示している。以後、この状態を「右方向の傾き」と定義する。傾き検出手段２０９は、この際の傾き角度３０２および３０３を検出し、制御手段２１０に対して通知を行う。
【００２５】
制御手段２１０は、ＣＰＵ（Ｃｅｎｔｒａｌ  Ｐｒｏｃｅｓｓｉｎｇ  Ｕｎｉｔ）および、ＣＰＵで実行するプログラムを格納するメモリとから構成され、格納されたプログラムを実行し、上記各手段を制御するものである。
なお、本構成では、２つの画面の同時表示を想定した構成となっているが、３画面以上であっても、画面に対する傾き角度の範囲が相違するだけで基本的な構成は同じである。
【００２６】
続いて、図４のフローチャートを用いて、本発明の実施形態１における制御手段２１０の処理手順を説明する。
制御手段２１０は、まず、傾き検出手段２０９により、端末の傾き角度に変化があるかどうかを判定する（ステップＳ１）。傾きに変化があるかどうかについては、予め定めた傾き角度の閾値に基づいて行う。
さらに、傾きに変化があり（ステップＳ１／ＹＥＳ）、検出した傾き方向が予め定めた一定時間に渡って保持された場合（ステップＳ２／ＹＥＳ）、端末の傾き方向が変化したとして、傾きの角度に基づいて有効画面を決定し、有効画面番号記録手段２０８の有効画面番号を更新する（ステップＳ３）。
なお、傾き角度の閾値ならびに、傾き方向の保持時間の閾値については、固定値としてもよいし、ユーザから設定可能としてもよい。また、予めユーザに端末を傾ける操作を実施してもらい、その際の操作傾向をもとに、決定してもよい。
【００２７】
図５は、携帯電話端末１０１の動きを図示したものであり、図３と同様、携帯電話端末１０１を底面から見た様子を示している。閾値５０１は、上述した傾き角度の閾値をあらわしている。また、以下の例では、傾き保持時間の閾値を１秒とするが、これに限定されるものではなく、上述のように適宜設定されてもよい。
【００２８】
まず、水平状態の（Ａ）から（Ｂ）のように携帯電話端末１０１を右方向に傾けた場合、傾き検出手段２０９が傾き角度の閾値５０１よりも大きな傾き角度を検出するため、ステップＳ２に進む。
ここで、傾き保持時間を計測し、１秒間に渡り、（Ｃ）のように、傾き角度が閾値５０１を下回ることがなければ、ステップＳ３に進み、有効画面番号の更新を行う。この状態でユーザが見ることができるのは、複数画面同時表示手段２０１が左方向に対して表示を行っている第１画面であるため、有効画面番号記録手段２０８の有効画面番号情報を「第１画面」に設定する。また、傾きが一定時間保持されるのを確認することによって、手ぶれ等により、意図しない有効画面番号の更新がなされるのを防止することができる。
一方、１秒以内に（Ｄ）のように、携帯電話端末１０１の傾き角度が閾値５０１を下回った場合は、ステップＳ２の判定でＮＯとなり、有効画面番号情報の更新は行わない。
【００２９】
続いて、携帯電話端末１０１が外部入力手段２０６より、ユーザ操作を検出した場合（ステップＳ４／ＹＥＳ）、制御手段２１０は有効画面番号記録手段２０８の記録内容に基づき、第１画面が有効である場合（ステップＳ５／ＹＥＳ）は、キー入力コード等のユーザ操作情報を第１画面生成手段２０２に通知する（ステップＳ６）。
一方、第２画面が有効である場合（ステップＳ５／ＮＯ）は、ユーザ操作情報を第２画面生成手段２０４に通知する（ステップＳ８）。
【００３０】
ユーザ操作情報を受け取った第１画面生成手段２０２、第２画面生成手段２０４は操作内容にしたがって、第１画面表示用メモリ２０３、第２画面表示用メモリ２０５を更新する（ステップＳ７，ステップＳ９）。
例えば、第１画面がメールアプリケーション画面であり、ユーザからメール本文入力のためのキー入力が行われた場合は、第１画面生成手段２０２はキー入力処理を行い、該当する文字を表示するよう第１画面表示用メモリ２０３の内容を書き換え、複数画面同時表示手段２０１の第１画面を表示しなおす。
また、第２画面がＴＶアプリケーション画面であり、ユーザからＴＶチャンネル変更のためのキー入力が行われた場合は、入力キーコードにしたがって、第２画面生成手段２０４がチャンネル変更処理を行い、第２画面表示用メモリ２０５の内容を書き換え、複数画面同時表示手段２０１の第２画面を表示しなおす。
【００３１】
続いて、割り込み表示イベント検出手段２０７が、電話着信やアラーム時刻到達等の割り込み表示イベントを検出した場合（ステップＳ１０／ＹＥＳ）、有効画面番号記録手段２０８から取得した有効画面番号が「第１画面」の場合（ステップＳ１１／ＹＥＳ）は、割り込み表示イベント情報を第１画面生成手段２０２に通知し（ステップＳ１２）、第１画面生成手段２０２は受け取ったイベント情報に従って、第１画面表示用メモリ２０３の内容を書き換え、複数画面同時表示手段２０１の第１画面を表示しなおす（ステップＳ１３）。
一方、有効画面番号が「第２画面」の場合（ステップＳ１１／ＮＯ）は、割り込み表示イベント情報を第２画面生成手段２０４に通知し（ステップＳ１４）、第２画面生成手段２０４は受け取ったイベント情報に従って、第２画面表示用メモリ２０５の内容を書き換え、複数画面同時表示手段２０１の第２画面を表示しなおす（ステップＳ１５）。
【００３２】
図６は、（Ａ）のように携帯電話端末１０１の有効画面番号が「第２画面」の場合に、アラーム時刻到達イベントが発生した場合を示す図であり、制御手段２１０は、第２画面生成手段２０４に対して、アラーム時刻到達イベントを通知することにより、（Ｂ）のように第２画面に対してアラーム画面が表示される様子を示している。
【００３３】
このように構成することによって、携帯電話端末の状態を変化させる（例えば、端末を傾ける）ことによって、複数の画面を観察する動きに基づいた、入力操作の対象となる画面を決定するので、操作対象となる画面を切り替えるための煩わしい操作が不要になる。
また、現在、操作対象となっている画面に対して、アラームや着信通知等の割り込みイベントの表示を行うので、ユーザに対し確実に情報通知を行うことができる。両方の画面に対して表示を行うのでなく、表示を行う画面を現在見ている画面に限定することによって、処理を簡略化する効果もある。
【００３４】
＜実施形態２＞
図７は、本発明の実施形態２における携帯電話端末の概観を説明するための図である。同図において、携帯電話端末７０１は、回転軸を中心に表示部を左右方向に回転させる機構を有している。
図８は、実施形態２における携帯電話端末７０１の制御ブロック図であり、携帯電話端末７０１は、複数画面同時表示手段２０１、第１画面生成手段２０２、第１画面表示用メモリ２０３、第２画面生成手段２０４、第２画面表示用メモリ２０５、外部入力手段２０６、割り込み表示イベント検出手段２０７、有効画面番号記録手段２０８、表示部回転検出手段２１１、制御手段２１０から構成される。
なお、図８において、図２と同じ機能については同じ符号を付して、説明を省略する。また、本構成では、２つの画面の同時表示を想定した構成となっているが、３画面以上であっても、表示部の回転角度の範囲に複数の画面を対応させるだけで基本的な構成は同じである。
【００３５】
表示部回転検出手段２１１は、表示部の回転角度と回転方向を検出するものであり、検出される内容は、図３における傾き検出方法と同様に、水平状態からの回転角度である。
【００３６】
以下、図９のフローチャートを用いて、本発明の実施形態２における制御手段２１０の処理手順を説明する。
まず、表示部回転検出手段２１１があらかじめ定められた回転角度の閾値に従って、表示部の回転方向の変化を検出し、回転方向に変化があった場合（ステップＳ２１／ＹＥＳ）、予め定められた時間経過の間、回転方向に変化がないかどうかを判定し、回転方向に変化がなかった場合（ステップＳ２２／ＹＥＳ）、先に検出した回転方向に基づいて有効画面を決定し、有効画面番号の更新を行う（ステップＳ２３）。
一方、回転方向に変化があった場合は（ステップＳ２２／ＮＯ）、有効画面番号の更新は行わない。
なお、回転角度の閾値ならびに、回転方向の保持時間の閾値については、固定値としてもよいし、ユーザから設定可能としてもよい。また、予めユーザに端末を回転させる操作を実施してもらい、その際の操作傾向をもとに、決定してもよい。
また、ステップＳ４以降の動作は図４の動作と同一であるため、ここでは説明を繰り返さない。
【００３７】
図１０は、携帯電話端末７０１の表示部が（Ａ）のように表示していた場合、ステップＳ１０で割り込み表示イベント検出手段２０７が割り込み表示イベントを検出すると、制御手段２１０は、第２画面生成手段２０４に対して、アラーム時刻到達イベントを通知することにより、（Ｂ）のように表示部の回転角度に応じて決定された画面に対してアラーム画面が表示される様子を示している。
【００３８】
このように構成することにより、ユーザが表示部の回転角度を変え、観察する画面を変更するのに伴い、操作対象となる画面を切り替えられるので、操作対象切り替えのための特別な操作が不要となる。また、この構成では、表示部のみを回転させるため、キー操作部は水平なままであり、ユーザの操作性が向上する効果もある。
【００３９】
＜実施形態３＞
図１１は、本発明の実施形態３における車載ナビゲーションシステムの概観を説明するための図である。同図において、車載ナビゲーション装置１１０１は、表示画面を左方向（助手席側）から見るユーザと右方向（運転席側）から見るユーザとで、異なる画面が見られるように構成されている。図１１では、助手席側に対する第１画面１１０３ではＴＶ画面を、運転席側に対する第２画面１１０４ではナビゲーション画面を表示する例を示している。ここで、ユーザは、リモコン装置１１０２を用いて車載ナビゲーション装置１１０１に対する各種操作を行うことができるものとする。
【００４０】
図１２は、実施形態３における車載ナビゲーションシステム（車載ナビゲーション装置１１０１およびリモコン装置１１０２）の制御ブロック図である。同図において、車載ナビゲーション装置１１０１は、複数画面同時表示手段１２０１と、第１画面生成手段１２０２と、第１画面表示用メモリ１２０３と、第２画面生成手段１２０４と、第２画面表示用メモリ１２０５と、操作情報受信手段１２０６と、制御手段１２０７とから構成される。
【００４１】
複数画面同時表示手段１２０１は、１つの表示面において、異なる方向に複数の画面表示を行うものである。
第１画面生成手段１２０２は、複数画面同時表示手段１２０１が表示する第１の画面に対する表示内容を生成する。生成された表示内容は第１画面表示用メモリ１２０３内に書き込まれ、複数画面同時表示手段１２０１に伝えられる。
【００４２】
第２画面生成手段１２０４は、複数画面同時表示手段１２０１が表示する第２の画面に対する表示内容を生成する。生成された表示内容は第２画面表示用メモリ１２０５内に書き込まれ、複数画面同時表示手段１２０１に伝えられる。
操作情報受信手段１２０６は、赤外線通信等の手段により、リモコン装置１１０２に対して行われたユーザ操作情報を受け取るものである。
制御手段１２０７は、ＣＰＵおよびＣＰＵで実行されるプログラムを格納するメモリから構成され、メモリに格納されたプログラムにしたがって、上記の車載ナビゲーション装置１１０１の各手段の制御を行う。
また、本構成では、２つの画面の同時表示を想定した構成となっているが、３画面以上であっても、リモコン装置の傾き角度の範囲に複数の画面を対応させるだけで基本的な構成は同じである。
【００４３】
次に、リモコン装置１１０２は、外部入力手段１２０８と、傾き検出手段１２０９と、傾き情報記録手段１２１０と、操作情報送信手段１２１１と、制御手段１２１２とから構成される。
外部入力手段１２０８は、リモコン装置１１０２に搭載されたキーおよび、キー入力を検出する手段から構成される。
【００４４】
傾き検出手段１２０９は、端末の傾き方向や傾き角度を検出する加速度センサチップ等により構成される。検出する内容は、実施形態１，２と同様に図３に示す、水平からの傾き角度３０２，３０３であり、図３（Ｂ）のように、端末の右側が左側に比べて上になる状態を「左方向の傾き」、図３（Ｃ）のように、端末の右側が左側に比べて下になる状態を「右方向の傾き」と定義する。
傾き情報記録手段１２１０は、傾き検出手段１２０９によって検出された傾き方向情報を記録するためのメモリである。現在の傾き方向が「左方向」、「右方向」のいずれであるかを記録する。
【００４５】
操作情報送信手段１２１１は、外部入力手段１２０８が検出したキー入力等のユーザ操作情報および、傾き情報記録手段１２１０に記録した傾き方向情報を赤外線通信等の手段を用いて、車載ナビゲーション装置１１０１に送信するものである。
制御手段１２１２は、ＣＰＵおよび、ＣＰＵで実行されるプログラムを格納するメモリから構成され、格納されたプログラムに従って上記のリモコン装置１１０２の各手段の制御を行うものである。
【００４６】
続いて、図１３のフローチャートを用いて、本実施形態３におけるリモコン装置１１０２の制御手段１２１２の処理手順を説明する。
まず、制御手段１２１２は、傾き検出手段１２０９により検出したリモコン装置１１０２の傾き方向に変化があるかどうかを判定する（ステップＳ３１）。傾き方向に変化があるかどうかについては、予め定めた傾き角度の閾値に基づいて行う。
【００４７】
リモコン装置１１０２の傾き方向に変化があり（ステップＳ３１／ＹＥＳ）、傾き方向が予め定めた一定時間に渡って保持された場合（ステップＳ３２／ＹＥＳ）は、傾き情報記録手段１２１０に保持される現在の傾き方向情報を、検出した傾き方向を基に決定した「左方向」もしくは「右方向」に更新する（ステップＳ３３）。このように、傾き方向が一定時間保持されるのを確認することによって、手ぶれ等により、意図しない有効画面番号の更新がなされるのを防止することができる。
なお、傾き角度の閾値ならびに、傾き方向の保持時間の閾値については、固定値としてもよいし、ユーザから設定可能としてもよい。また、予めユーザにリモコン装置を傾ける操作を実施してもらい、その際の操作傾向をもとに、決定してもよい。
【００４８】
図１５（Ａ）は、リモコン装置１１０２を「右方向」に傾けた場合、図１５（Ｂ）は、「左方向」に傾けた場合を示す図である。なお、図１５に示すように、車載ナビゲーション装置１１０１に対して、左側に位置するユーザがリモコン装置１１０２を操作する場合の傾き方向は「右方向」となる傾向が強いと考えられる。一方、右側に位置するユーザがリモコン装置１１０２を操作する場合は傾き方向は「左方向」になる傾向が強いと考えられる。
【００４９】
続いて、外部入力手段１２０８が、リモコン装置１１０２に対するキー操作等のユーザ操作を検出した場合（ステップＳ３４／ＹＥＳ）、入力されたキー入力情報と傾き情報記録手段１２１０から取得した傾き方向情報を操作情報送信手段１２１１により、車載ナビゲーション装置１１０１に送信する（ステップＳ３５）。
【００５０】
次に、図１４のフローチャートを用いて、本実施形態３における車載ナビゲーション装置１１０１の制御手段１２０７の処理手順を説明する。
まず、操作情報受信手段１２０６によって、車載ナビゲーション装置１１０１がユーザ操作情報を受信すると（ステップＳ４１／ＹＥＳ）、受信したリモコン装置１１０２の傾き情報が「右方向」である場合（ステップＳ４２／ＹＥＳ）、ユーザ操作は「第１画面」に対するものとみなし、第１画面生成手段１２０２に対してユーザ操作情報を通知し（ステップＳ４３）、ユーザ操作情報の通知を受けた第１画面生成手段１２０２は、ユーザ操作情報に従って、第１画面表示用メモリ１２０３の内容を書き換え、複数画面同時表示手段１２０１の第１画面を表示しなおす（ステップＳ４４）。
【００５１】
一方、リモコン装置１１０２の傾き情報が「左方向」である場合（ステップＳ４２／ＮＯ）には、ユーザ操作は「第２画面」に対するものとみなし、第２画面生成手段１２０４に対して、ユーザ操作情報を通知し（ステップＳ４５）、ユーザ操作情報の通知を受けた第２画面生成手段１２０４は、ユーザ操作情報に従って、第２画面表示用メモリ１２０５の内容を書き換え、複数画面同時表示手段１２０１の第２画面を表示しなおす（ステップＳ４６）。
【００５２】
例えば、第１画面が助手席側ユーザに対するＴＶ画面であり、第２画面が運転手席側ユーザに対するナビゲーション画面である場合、リモコン装置の傾き情報とキー押下情報に従ってＴＶのチャンネル変更処理や、ナビゲーションの目的地設定処理等が行われる。
【００５３】
このように構成することにより、２名以上のユーザが複数画面を同時に表示する装置に対して行う操作を、１台のリモコンを共有して使用する場合でも、操作時のリモコンの傾き方向によってユーザごとの操作を切り替えることが可能となり、操作者切り替えのための煩わしい操作が不要となる。
【００５４】
＜その他の実施形態＞
本発明は、上述した実施形態のみに限定されたものではない。上述した実施形態の携帯電話端末、車載ナビゲーション装置、リモコン装置を構成する各機能をそれぞれプログラム化して、予め記録媒体に書き込んでおき、この記録媒体に記録されたこれらのプログラムをコンピュータのメモリあるいは記憶装置に格納し、それを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【００５５】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納されたプログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【図面の簡単な説明】
【００５６】
【図１】実施形態１における携帯電話端末の概観を説明するための図である。
【図２】実施形態１における携帯電話端末の制御ブロック図である。
【図３】実施形態１，２，３における端末やリモコンの傾き検出の概要を示す図である。
【図４】実施形態１における制御手段の処理手順を説明するフローチャートである。
【図５】実施形態１，２，３における端末やリモコンの傾き方向検出の概要を示す図である。
【図６】実施形態１における携帯電話端末の表示画面を説明するための図である。
【図７】実施形態２における携帯電話端末の概観を説明するための図である。
【図８】実施形態２における携帯電話端末の制御ブロック図である。
【図９】実施形態２における制御手段の処理手順を説明するフローチャートである。
【図１０】実施形態２における携帯電話端末の表示画面を説明するための図である。
【図１１】実施形態３における車載ナビゲーションシステムの概観を説明するための図である。
【図１２】実施形態３における車載ナビゲーションシステムの制御ブロック図である。
【図１３】実施形態３におけるリモコン装置の制御手段の処理手順を説明するフローチャートである。
【図１４】実施形態３における車載ナビゲーション装置の制御手段の処理手順を説明するフローチャートである。
【図１５】リモコン装置を「右方向」と「左方向」に傾けた場合を説明する図である。
【図１６】複数画面同時表示装置の概略を説明するための図（その１）である。
【図１７】複数画面同時表示装置の概略を説明するための図（その２）である。
【図１８】従来技術におけるカーナビゲーション用ディスプレイを示す図（その１）である。
【図１９】従来技術におけるカーナビゲーション用ディスプレイを示す図（その２）である。
【符号の説明】
【００５７】
１０１，７０１…携帯電話端末、２０１…複数画面同時表示手段、２０２…第１画面生成手段、２０３…第１画面表示用メモリ、２０４…第２画面生成手段、２０５…第２画面表示用メモリ、２０６…外部入力手段、２０７…割り込み表示イベント検出手段、２０８…有効画面番号記録手段、２０９…傾き検出手段、２１０…制御手段、２１１…表示部回転検出手段、３０２，３０３…傾き角度、５０１…傾き角度閾値、１１０１…車載ナビゲーション装置、１１０２…リモコン装置、１１０３…第１画面、１１０４…第２画面、１２０１…複数画面同時表示手段、１２０２…第１画面生成手段、１２０３…第１画面表示用メモリ、１２０４…第２画面生成手段、１２０５…第２画面表示用メモリ、１２０６…操作情報受信手段、１２０７…制御手段、１１０２…リモコン装置、１２０８…外部入力手段、１２０９…傾き検出手段、１２１０…傾き情報記録手段、１２１１…操作情報送信手段、１２１２…制御手段。
【図１】
2006343419.tif 000003
【図２】
2006343419.tif 000004
【図３】
2006343419.tif 000005
【図４】
2006343419.tif 000006
【図５】
2006343419.tif 000007
【図６】
2006343419.tif 000008
【図７】
2006343419.tif 000009
【図８】
2006343419.tif 000010
【図９】
2006343419.tif 000011
【図１０】
2006343419.tif 000012
【図１１】
2006343419.tif 000013
【図１２】
2006343419.tif 000014
【図１３】
2006343419.tif 000015
【図１４】
2006343419.tif 000016
【図１５】
2006343419.tif 000017
【図１６】
2006343419.tif 000018
【図１７】
2006343419.tif 000019
【図１８】
2006343419.tif 000020
【図１９】
2006343419.tif 000021